(57)【要約】【課題】  情報担持体に記憶されている変更可能な情報の偽造、改竄を防止して、情報の信頼性を確保する。【解決手段】  情報担持体９０の構成材料中に含まれる情報提示物質９１に所定の波長領域の電磁波を照射して、情報提示物質９１から放射される蛍光を検出する蛍光検出手段１０１と、情報記憶部９２に記憶されている第２の情報を読み取る第２情報読取手段１０４と、作成された第２の情報を情報記憶部９２に書き込む書込手段１０８とを備える。蛍光の検出情報から第１の情報を特定して、この第１の情報を暗号キーとして第２の情報を解読する。入力された書込情報を第１の情報に基づいて暗号化して第２の情報を作成し、この第２の情報を書き込む。【選択図】  図３
2005084864.tif 000002
【特許請求の範囲】
【請求項１】
１種または２種以上の元素またはそれらの化合物からなり第１の情報が関連付けられた情報提示物質を含むとともに、第２の情報が変更可能に記憶された情報記憶部を備えた情報担持体における各情報を取り扱う情報処理装置であって、
前記情報担持体に対して所定の波長領域の電磁波を照射し、この電磁波の照射に応じて前記情報提示物質から放射される蛍光を検出する蛍光検出手段と、前記情報記憶部から第２の情報を読み取る第２情報読取手段と、前記蛍光の検出情報に基づいて特定された第１の情報を暗号キーとして第２の情報を解読する解読処理手段とを備えたことを特徴とする情報処理装置。
【請求項２】
蛍光の検出情報と予め記憶された第１の情報に対応する蛍光情報とに基づいて第１の情報を特定する特定手段を備えたことを特徴とする請求項１記載の情報処理装置。
【請求項３】
１種または２種以上の元素またはそれらの化合物からなり第１の情報が関連付けられた情報提示物質を含むとともに、第２の情報が変更可能に記憶された情報記憶部を備えた情報担持体における各情報を取り扱う情報処理装置であって、
前記情報担持体に対して所定の波長領域の電磁波を照射し、この電磁波の照射に応じて前記情報提示物質から放射される蛍光を検出する蛍光検出手段と、前記情報記憶部から第２の情報を読み取る第２情報読取手段と、前記蛍光の検出情報から得られる第１の情報の真偽に応じて第２の情報の採否を決定する第２情報採否手段とを備えたことを特徴とする情報処理装置。
【請求項４】
蛍光の検出情報と予め記憶された第１の情報に対応する蛍光情報とに基づいて第１の情報を特定する特定手段と、特定された第１の情報の真偽を判定する第１情報真偽判定手段とを備えたことを特徴とする請求項３記載の情報処理装置。
【請求項５】
通信回線を通じて接続された外部処理装置と通信する通信手段を備え、該通信手段は、前記外部処理装置に蛍光の検出情報を送信するとともに、前記外部処理装置によって特定された第１の情報の真偽に関する判定結果を受信することを特徴とする請求項３記載の情報処理装置。
【請求項６】
１種または２種以上の元素またはそれらの化合物からなり第１の情報が関連付けられた情報提示物質を含むとともに、第２の情報が変更可能に記憶された情報記憶部を備えた情報担持体における各情報を取り扱う情報処理装置であって、
前記情報担持体に対して所定の波長領域の電磁波を照射し、この電磁波の照射に応じて前記情報提示物質から放射される蛍光を検出する蛍光検出手段と、前記情報記憶部から第２の情報を読み取る第２情報読取手段と、前記蛍光の検出情報から得られる第１の情報により判定された第２の情報の真偽に応じて第２の情報の採否を決定する第２情報採否手段とを備えたことを特徴とする情報処理装置。
【請求項７】
蛍光の検出情報と予め記憶された第１の情報に対応する蛍光情報とに基づいて第１の情報を特定する特定手段と、特定された第１の情報に基づいて第２の情報の真偽を判定する第２情報真偽判定手段とを備えたことを特徴とする請求項６記載の情報処理装置。
【請求項８】
通信回線を通じて接続された外部処理装置と通信する通信手段を備え、該通信手段は、前記外部処理装置に蛍光の検出情報および第２の情報を送信するとともに、前記外部処理装置によって特定された第１の情報に基づいて判定された第２の情報の真偽に関する判定結果を受信することを特徴とする請求項６記載の情報処理装置。
【請求項９】
通信回線を通じて接続された外部処理装置と通信する通信手段を備え、前記外部処理装置は、第３の情報を有し、前記通信手段は、第２の情報を前記外部処理装置に送信するとともに、第２の情報に関連付けられた第３の情報に対する操作許可を受信することを特徴とする請求項１、３、６のいずれかに記載の情報処理装置。
【請求項１０】
１種または２種以上の元素またはそれらの化合物からなり、第１の情報が関連付けられた情報提示物質を含むとともに、第２の情報が変更可能に記憶された情報記憶部を備えた情報担持体における各情報を取り扱う情報処理装置であって、
前記情報担持体に対して所定の波長領域の電磁波を照射し、この電磁波の照射に応じて前記情報提示物質から放射される蛍光を検出する蛍光検出手段と、前記蛍光の検出情報から得られる第１の情報を利用して作成された第２の情報を前記情報記憶部に書き込む書込手段とを備えたことを特徴とする情報処理装置。
【請求項１１】
蛍光の検出情報と予め記憶された第１の情報に対応する蛍光情報とに基づいて第１の情報を特定する特定手段と、特定された第１の情報を暗号キーとして、これに基づいて書込情報を暗号化して第２の情報を作成する第２情報作成手段を備えたことを特徴とする請求項１０記載の情報処理装置。
【請求項１２】
蛍光の検出情報と予め記憶された第１の情報に対応する蛍光情報とに基づいて第１の情報を特定する特定手段と、特定された第１の情報に基づいて書込情報を加工し第２の情報を作成する第２情報作成手段とを備えたことを特徴とする請求項１０記載の情報処理装置。
【請求項１３】
通信回線を通じて接続された外部処理装置と通信する通信手段を備え、該通信手段は、前記外部処理装置に蛍光の検出情報を送信するとともに、前記外部処理装置によって特定された第１の情報により暗号化された第２の情報を受信することを特徴とする請求項１０記載の情報処理装置。
【請求項１４】
通信回線を通じて接続された外部処理装置と通信する通信手段を備え、該通信手段は、前記外部処理装置に蛍光の検出情報を送信するとともに、前記外部処理装置によって特定された第１の情報に基づいて書込情報を加工して作成された第２の情報を受信することを特徴とする請求項１０記載の情報処理装置。
【請求項１５】
１種または２種以上の元素またはそれらの化合物からなり第１の情報が関連付けられた情報提示物質を含むとともに、第２の情報が変更可能に記憶された情報記憶部を備えた情報担持体における各情報を取り扱う情報処理装置と、該情報処理装置に通信回線を通じて接続された外部処理装置とから構成され、
前記情報処理装置は、前記情報担持体に対して所定の波長領域の電磁波を照射し、この電磁波の照射に応じて前記情報提示物質から放射される蛍光を検出する蛍光検出手段と、前記情報記憶部から第２の情報を読み取る第２情報読取手段とを備え、
前記外部処理装置は、前記情報処理装置から送信された蛍光の検出情報と予め記憶された第１の情報に対応する蛍光情報とに基づいて第１の情報を特定する特定手段と、特定された第１の情報を暗号キーとして第２の情報を解読する解読処理手段とを備え、解読結果を前記情報処理装置に送信することを特徴とする情報処理システム。
【請求項１６】
請求項３記載の情報処理装置と、該情報処理装置に通信回線を通じて接続された外部処理装置とから構成され、
前記外部処理装置は、前記情報処理装置から送信された蛍光の検出情報と予め記憶された第１の情報に対応する蛍光情報とに基づいて第１の情報を特定する特定手段と、特定された第１の情報の真偽を判定する第１情報真偽判定手段とを備え、判定結果を前記情報処理装置に送信することを特徴とする情報処理システム。
【請求項１７】
請求項６記載の情報処理装置と、該情報処理装置に通信回線を通じて接続された外部処理装置とから構成され、
前記外部処理装置は、前記情報処理装置から送信された蛍光の検出情報と予め記憶された第１の情報に対応する蛍光情報とに基づいて第１の情報を特定する特定手段と、特定された第１の情報に基づいて第２の情報の真偽を判定する第２情報真偽判定手段とを備え、判定結果を前記情報処理装置に送信することを特徴とする情報処理システム。
【請求項１８】
請求項１０記載の情報処理装置と、該情報処理装置に通信回線を通じて接続された外部処理装置とから構成され、
前記外部処理装置は、前記情報処理装置から送信された蛍光の検出情報と予め記憶された第１の情報に対応する蛍光情報とに基づいて第１の情報を特定する特定手段と、特定された第１の情報を暗号キーとして、これに基づいて書込情報を暗号化して第２の情報を作成する第２情報作成手段とを備え、作成された第２の情報を前記情報処理装置に送信することを特徴とする情報処理システム。
【請求項１９】
請求項１０記載の情報処理装置と、該情報処理装置に通信回線を通じて接続された外部処理装置とから構成され、
前記外部処理装置は、前記情報処理装置から送信された蛍光の検出情報と予め記憶された第１の情報に対応する蛍光情報とに基づいて第１の情報を特定する特定手段と、特定された第１の情報により書込情報を加工して第２の情報を作成する第２情報作成手段とを備え、作成された第２の情報を前記情報処理装置に送信することを特徴とする情報処理システム。
【請求項２０】
請求項１、３、６のいずれかに記載の情報処理装置と、該情報処理装置に通信回線を通じて接続された外部処理装置とから構成され、
前記外部処理装置は、第３の情報を有し、前記情報処理装置から送信された第２の情報に関連付けられた第３の情報に対する操作を許可する操作許可手段を備え、操作許可を前記情報処理装置に送信することを特徴とする情報処理システム。
【請求項２１】
情報処理装置は、外部処理装置から操作許可を受信したとき、第３の情報に対する操作の指示を送信することを特徴とする請求項２０記載の情報処理システム。
【発明の詳細な説明】
【技術分野】
【０００１】
本発明は、変更不可能な情報と変更可能な情報を有する情報担持体に対して、情報の読み取りや書き込みといった処理を行う情報処理装置に関する。
【背景技術】
【０００２】
従来、クレジットカードやＩＤカード等においては、個人に関する情報等が集積回路記憶媒体（ＩＣメモリ）や磁気記憶媒体に電気的あるいは磁気的に記憶されている。
【０００３】
しかしながら、集積回路記憶媒体（ＩＣメモリ）や磁気記憶媒体等の記憶媒体は、その構造上、記憶された情報の変更や改竄が可能であるため、記憶媒体としての信頼性に改良の余地があった。
【０００４】
記憶媒体の改竄や偽造を困難なものにすることができる処理装置として、例えば特許文献１には、基材中に導電性ファイバ、磁性ファイバ等の所定材料成分を分散させた記憶媒体を受け入れ、この記憶媒体の情報記録領域に情報を書き込むとともに、この情報を読み取る処理装置が開示されている。この処理装置では、情報書込時に、基材中の所定材料成分の検出情報とその検出位置を書き込み、情報読取時に、検出情報および検出位置を読み出す。そして、読み出した検出位置で所定材料成分を検出し、この実検出情報と記憶されている検出情報とを比較する。検出情報が一致すれば、記憶媒体は真なるものであり、検出情報が不一致であれば、記憶媒体に情報の改竄等の異常があるものと判断する。
【特許文献１】特開２０００−３２２５３０号公報
【発明の開示】
【発明が解決しようとする課題】
【０００５】
上記の処理装置では、検出位置や検出情報を情報記録領域に記憶するが、この情報記録領域はＩＣメモリあるいは磁気記録媒体であるので、変更可能である。そのため、改竄等によって、検出位置や検出情報が変更されるおそれがあり、記憶媒体が真なるものであるのかわからず、信頼性が低下する。また、所定材料成分を複数の位置で検出する必要があるので、所定材料成分を検出するためのセンサを複数用いるか、あるいはセンサを移動させる機構が必要となり、処理装置が大型化する。
【０００６】
本発明は、上記に鑑み、変更可能に記憶された情報の信頼性を確保することができる情報処理装置を提供することを目的とする。
【課題を解決するための手段】
【０００７】
本発明は、１種または２種以上の元素またはそれらの化合物からなり第１の情報が関連付けられた情報提示物質を含むとともに、第２の情報が変更可能に記憶された情報記憶部を備えた情報担持体における各情報を取り扱う情報処理装置であって、前記情報担持体に対して所定の波長領域の電磁波を照射し、この電磁波の照射に応じて前記情報提示物質から放射される蛍光を検出する蛍光検出手段と、前記情報記憶部から第２の情報を読み取る第２情報読取手段とを備えている。
【０００８】
そして、蛍光の検出情報に基づいて特定された第１の情報を暗号キーとして第２の情報を解読する解読処理手段を備えたものとする。蛍光の検出情報と予め記憶された第１の情報に対応する蛍光情報とに基づいて第１の情報を特定する特定手段により、第１の情報が特定される。この第１の情報に基づいて第２の情報が復号化され、その情報を取得することができる。これによって、第１の情報が特定されなければ、第２の情報を解読することができないので、第２の情報の漏洩や改竄を防止できる。
【０００９】
この情報処理装置において第２の情報を解読する代わりに、通信回線を通じて接続された外部処理装置において解読するようにしてもよい。そのため、外部処理装置と通信する通信手段を設け、外部処理装置に蛍光の検出情報を送信するとともに、外部処理装置によって特定された第１の情報の真偽に関する判定結果を受信する。外部処理装置では、情報処理装置から送信された蛍光の検出情報と予め記憶された第１の情報に対応する蛍光情報とに基づいて第１の情報を特定する特定手段と、特定された第１の情報を暗号キーとして第２の情報を解読する解読処理手段とを備え、解読結果を前記情報処理装置に送信する。
【００１０】
また、蛍光の検出情報から得られる第１の情報の真偽に応じて第２の情報の採否を決定する第２情報採否手段を備えたものとする。特定手段により特定された第１の情報の真偽を判定する第１情報真偽判定手段によって、第１の情報の真偽が判断される。第１の情報が真正なものであると判断されると、第２の情報を採用して、第２の情報を利用可能とする。第１の情報が真正でないと判断されると、第２の情報を採用しない。したがって、採用された第２の情報の信頼性を確保できる。
【００１１】
この情報処理装置において第１の情報の真偽を判定する代わりに、外部処理装置において真偽を判定するようにしてもよい。そのため、通信手段によって、外部処理装置に蛍光の検出情報を送信するとともに、外部処理装置によって特定された第１の情報の真偽に関する判定結果を受信する。外部処理装置では、上記の特定手段と、特定された第１の情報の真偽を判定する第１情報真偽判定手段とを備え、判定結果を前記情報処理装置に送信する。
【００１２】
また、蛍光の検出情報から得られる第１の情報により判定された第２の情報の真偽に応じて第２の情報の採否を決定する第２情報採否手段を備えたものとする。特定手段により特定された第１の情報に基づいて第２の情報の真偽を判定する第２情報真偽判定手段によって、第２の情報の真偽が判断される。第２の情報が真正なものであると判断されると、第２の情報を採用して、第２の情報を利用可能とする。第２の情報が真正でないと判断されると、第２の情報を採用しない。したがって、変更不可能な第１の情報によって第２の情報の真偽を判定することにより、第２の情報が改竄されたか否かを識別でき、採用された第２の情報の信頼性を確保できる。
【００１３】
この情報処理装置において第２の情報の真偽を判定する代わりに、外部処理装置において真偽を判定するようにしてもよい。そのため、通信手段によって、外部処理装置に蛍光の検出情報および第２の情報を送信するとともに、外部処理装置によって特定された第１の情報に基づいて判定された第２の情報の真偽に関する判定結果を受信する。外部処理装置では、上記の特定手段と、特定された第１の情報に基づいて第２の情報の真偽を判定する第２情報真偽判定手段とを備え、判定結果を情報処理装置に送信する。
【００１４】
また、外部処理装置が第３の情報を有しているとき、通信手段は、第２の情報を外部処理装置に送信するとともに、第２の情報に関連付けられた第３の情報に対する操作許可を受信する。外部処理装置では、情報処理装置から送信された第２の情報に関連付けられた第３の情報に対する操作を許可する操作許可手段を備え、操作許可を情報処理装置に送信する。そして、情報処理装置は、外部処理装置から操作許可を受信したとき、第３の情報に対する操作の指示を送信する。
【００１５】
すなわち、第１の情報に基づいて解読あるいは採用された第２の情報が、第３の情報を操作するためのキーとなる。このように真正である第２の情報を使用して、第３の情報に対する操作を行うので、第３の情報の漏洩や改竄を防止することができる。
【００１６】
また、蛍光の検出情報から得られる第１の情報を利用して作成された第２の情報を情報記憶部に書き込む書込手段を備えたものとする。特定手段により特定された第１の情報を暗号キーとして、これに基づいて書込情報を暗号化して第２の情報を作成する第２情報作成手段によって、第２の情報が作成される。特定された第１の情報が暗号キーとなるので、第２の情報を確実に秘匿化でき、漏洩や改竄を防止できる。
【００１７】
なお、第２の情報は、特定された第１の情報に基づいて書込情報を加工して作成してもよい。すなわち、第１の情報に基づいて第２の情報の真偽を判定するときに、第２の情報が真正な情報と判定されるように、第１の情報に基づく電子透かしを書込情報に埋め込む等のような加工を施して第２の情報を作成する。これによって、第２の情報の不正な改竄が困難となり、第２の情報の信頼性を確保することができる。
【００１８】
この情報処理装置において第２の情報を作成する代わりに、外部処理装置において作成するようにしてもよい。そのため、通信手段によって、外部処理装置に蛍光の検出情報を送信するとともに、外部処理装置によって特定された第１の情報に基づいて書込情報を暗号化して作成された第２の情報、あるいは書込情報を加工して作成された第２の情報判定された第２の情報を受信する。外部処理装置では、上記の特定手段と、特定された第１の情報を暗号キーとして、これに基づいて書込情報を暗号化して第２の情報を作成する、あるいは特定された第１の情報により書込情報を加工して第２の情報を作成する第２情報作成手段を備え、作成された第２の情報を情報処理装置に送信する。
【発明の効果】
【００１９】
本発明によると、情報処理装置を使用することによって、情報担持体から変更不可能な第１の情報を読み取り、この第１の情報に基づいて第２の情報の解読、書き込み、採否といった各種の取り扱いを容易に行える。そして、情報処理装置を利用すれば、情報担持体における変更可能な第２の情報の漏洩、改竄を容易に防止でき、第２の情報の信頼性を確保できる。これによって、情報担持体の偽造を防止でき、信頼できる情報を取り扱えるセキュリティ性の高いシステムを構築できる。
【発明を実施するための最良の形態】
【００２０】
本発明の情報処理装置は、複数の情報を保有する情報担持体に対して情報の読み取りおよび書き込みを行うものである。図１に示すように、この情報担持体９０は、クレジットカード等の電子カードであって、カードの構成材料中に、１種または２種以上の元素またはそれらの化合物からなる情報提示物質９１が含まれ、さらに情報記憶部９２を備える。なお、図１では、情報担持体９０に付与された情報提示物質９１を可視的な粒子状に表現したが、実際には肉眼では見えない程に微細化されている。
【００２１】
情報提示物質９１は、１種または２種以上の元素またはそれらの化合物（酸化物、硫化物、有機錯体など）からなり、第１の情報が関連付けられている。この情報提示物質９１は、情報担持体９０を構成する材料中に付与されているので、変更することができない。したがって、情報担持体９０にとって先天的に付与された情報となる。
【００２２】
情報提示物質９１は、Ｘ線領域の蛍光を利用する場合は、汎用の各種材料には一般に含有されることのない元素や化合物であることが望ましい。汎用の各種材料に一般に含有されることのない元素としては、例えば元素番号３１〜８８間での元素、好ましくはランタノイド系元素、さらに好ましくは、ネオジム（Ｎｄ）、プロメチウム（Ｐｍ）、サマリウム（Ｓｍ）、ユウロピウム（Ｅｕ）、ガドニウム（Ｇｄ）、テルビウム（Ｔｂ）、ホルミウム（Ｈｏ）を挙げることができ、これらを１種または２種以上の組み合わせて用いるのがよい。
【００２３】
また、情報提示物質９１は、赤外光から紫外光までの蛍光を利用する場合は、波長域の強い線スペクトルの蛍光を呈する１種または２種以上の元素、あるいはそれらの化合物が好ましい。具体的には不完全３ｄ殻を有する遷移元素イオン、不完全４ｄ殻を有する遷移元素イオン、不完全５ｄ殻を有する遷移元素イオン、または不完全４ｒ殻を有する希土類元素イオンを挙げることができ、これらのいずれか１種または２種以上を含むことにより１または複数の線スペクトルを呈する化合物とすることが好ましい。
【００２４】
上記のような情報提示物質９１に所定の波長領域の電磁波を照射すると、エネルギー幅が非常に狭く、かつエネルギー値が非常に高い線スペクトルを放射する。この線スペクトルに基づいて情報提示物質９１を検出することができる。
【００２５】
情報記憶部９２は、例えば情報を電気的手段によって記憶するＩＣメモリ等の集積回路記憶媒体、あるいは情報を磁気的手段によって記憶する磁気記憶媒体からなり、第２の情報が変更可能に記憶される。この場合、不可視的に記憶できるので、第２の情報を秘匿することができる。
【００２６】
ここで、第２の情報が変更可能であるとは、情報記憶部９２に記憶されている第２の情報の少なくとも一部を当初と異なる内容に変化させることが可能ということである。変更としては、例えば、追記、消去、書き換え（元の情報を消去して新たに記憶させる）等の少なくとも１つを行う。
【００２７】
情報提示物質９１および情報記憶部９２を有する情報担持体９０の用途としては、上記のクレジットカードの他、電車やバス等の交通機間の切符、回数券や定期券、各種プリベイドカード、診察券、各種ＩＤカード、食品等の各種製品に添付または貼着されるラベル等を挙げることができる。
【００２８】
情報担持体９０の構成材料としては、各種プラスチックが望ましい。各種プラスチックであれば、その製造段階において情報提示物質９１を練り込んで付与することができる。なお、情報担持体９０の構成材料は、紙、繊維、セラミックスあるいは金属等であってもよい。
【００２９】
上記の構成材料に情報提示物質９１を付与する手段としては、プラスチック製の基材や筐体の製造段階での練り込みによる以外に、構成材料の表面に対して情報提示物質９１を含有する塗料、インク等を塗布、あるいは含浸等させることによっても付与することができる。
【００３０】
情報記憶部９２がＩＣメモリからなる場合、この情報記憶部９２の回路基板や回路パターン形成材料、あるいはアンテナ、コイル、コンデンサ、抵抗等の構成部品に情報提示物質９１を含有させる。あるいは、ＩＣメモリのアンテナを塗装して形成するとき、情報提示物質９１を混ぜ込んだ導電性の塗料等を用いて塗装する。あるいは、情報記憶部９２が磁気記録媒体からなる場合、磁気記録媒体を設置するためのプラスチック素材に情報提示物質９１を練り込む。このように、情報記憶部９２の構成部品等に情報提示物質９１を付与すると、この情報記憶部９２自体が情報担持体９０となる。
【００３１】
（第１実施形態）
上記の情報担持体９０における情報の読み取りや書き込みを行うために図２に示す情報処理装置１０が用いられる。情報処理装置１０は、情報担持体９０から第１の情報および第２の情報を読み取る読取処理、読み取った情報の解読処理、書き込むべき情報の暗号化処理およびその情報の書込処理等を行うことによって、各情報を取り扱う。
【００３２】
このとき、情報処理装置１０では、情報担持体９０の第２の情報を暗号化あるいは複号化（解読）するために第１の情報を暗号キーとして扱う。第２の情報を暗号化して記憶する形態としては、秘匿したい個人情報等を記憶するクレジットカードや診察券、あるいは不正な改竄防止が求められるプリペイドカード等がある。
【００３３】
情報処理装置１０は、図２に示すように、蛍光検出手段１０１、情報提示物質記憶手段１０２、第１情報認定手段１０３、第２情報読取手段１０４、解読処理手段１０５、書込情報受付手段１０６、第２情報作成手段１０７、第２情報書込手段１０８を備えている。
【００３４】
情報提示物質記憶手段１０２、第１情報認定手段１０３、解読処理手段１０５、書込情報受付手段１０６、第２情報作成手段１０７、第２情報書込手段１０８は、ＣＰＵ、ＲＡＭ、ＲＯＭ、ハードディスクドライブ等の記憶装置、外部入出力装置を有するコンピュータによって構成され、このコンピュータにおいてインストールされたソフトウェアが実行されることにより、各手段が機能する。
【００３５】
蛍光検出手段１０１は、情報担持体９０に対して所定の波長領域の電磁波を照射し、この電磁波の照射に応じて情報提示物質９１から放射される蛍光を検出するものである。第２情報読取手段１０４は、情報記憶部９２から第２の情報を読み取るものである。蛍光検出手段１０１および第２情報読取手段１０４が、通信可能なように上記のコンピュータとデータ伝送可能に接続される。そして、蛍光検出手段１０１、第２情報読取手段１０４およびコンピュータが、キャビネットに収容されて、持ち運び可能なように一体化されている。
【００３６】
蛍光検出手段１０１は、図３に示すように、所定の波長領域の電磁波（励起光）を発する励起光源１１１と、この励起光を情報担持体９０の情報提示物質９１が含まれる部位に集光する集光光学系１１２と、この励起光を受けて情報提示物質９１から放射される蛍光を受光する受光光学系１１３と、受光光学系１１３に導かれた蛍光を分光処理する分光器１１４とを備えている。この蛍光検出手段１０１によって、例えば図４に示すような蛍光のスペクトル波形が得られる。なお、蛍光検出手段１０１は、情報担持体９０に対して接触して情報の読み取りができるものでもよいが、非接触で情報を読み取りができるものが望ましい。
【００３７】
第２情報読取手段１０４は、情報記憶部９２の種類等に応じて構成される。例えば、情報記憶部９２がＩＣメモリの場合、これから情報を読み取るアンテナ等を備えたＩＣメモリ読取装置とされる。ＩＣメモリ読取装置として、通常は公知のＩＣカード用リーダライタが使用される。そのため、ＩＣメモリ読取装置は、書込装置としても兼用され、情報記憶部９２に情報を書き込むことができる。情報記憶部９２が磁気記録媒体の場合、これから情報を読み取る磁気センサとされる。この磁気センサと磁化装置とを備えた公知の磁気カード用リーダライタを使用すれば、情報の読み取りだけでなく情報の書き込みもできる。したがって、このようなリーダライタを使用することにより、第２情報読取手段１０４は、第２情報書込手段１０８としても機能することになる。なお、第２情報読取手段１０４は、情報担持体９０と接触して情報の読み取りができるものでもよいが、非接触で情報の読み取りができるものが望ましい。
【００３８】
情報提示物質記憶手段１０２は、情報提示物質９１が放射する蛍光の情報と第１の情報とを関連付けて記憶するものである。この蛍光情報と第１の情報との関連付けとしては、例えば蛍光のスペクトル波形において、着目する波長を予め複数設定しておき、各着目する波長の光強度が所定のしきい値を越えるか否かによって０または１のデジタル信号を決定して、これを予め設定した順に並べることにより、第１の情報を作成する手法を挙げることができる。あるいは、予め設定した複数のスペクトルパターンをそれぞれ各種の第１の情報と関連付けて記憶しておくなど、他の手法によってもよい。このように関連付けられた蛍光情報と第１の情報とが互いに対応するように設定されたテーブルは、ＲＯＭ、記憶装置あるいは不揮発性メモリ上に形成される。このテーブルには、情報担持体９０毎にそれぞれのデータが保存され、複数の情報担持体９０に対応可能となる。
【００３９】
第１情報認定手段１０３は、上記のテーブルを参照して、蛍光検出手段１０１からの蛍光の検出情報に基づいて第１の情報を認定するものである。図４に示すように、４つの着目する波長ａ１、ａ２、ａ３、a４が設定され、これらすべてに同じしきい値ｂが設定されている場合、図示の蛍光のスペクトル波長が検出されたとき、第１の情報として「１，０，０，１」が認定されることになる。
【００４０】
なお、情報提示物質記憶手段１０２において、蛍光情報として予め設定した複数のスペクトルパターンを記憶している場合、蛍光の検出情報と適合するスペクトルパターンが記憶されていないときには、第１の情報が存在しないと認定される。この場合、適正な情報担持体９０ではないと判断する、あるいは情報の読取処理全体を中止するようにする。
【００４１】
以上のように、情報提示物質記憶手段１０２および第１情報認定手段１０３によって、蛍光の検出情報と予め記憶された第１の情報に対応する蛍光情報とに基づいて第１の情報を特定することができる。
【００４２】
解読処理手段１０５は、第１の情報を暗号キーとして第２の情報を解読処理（復号化処理）するものである。この解読処理は、第２の情報に対する暗号化手法に応じた手法によることとなる。
【００４３】
図５は解読処理の一例を示す説明図である。第１の情報をキー値として発生させた擬似乱数列との排他的論理和を求めることにより、元の情報を暗号化して第２の情報が作成されたのであれば、復号化の場合も同様に、認定された第１の情報をキー値として擬似乱数列を発生させ、この擬似乱数列と第２情報読取手段１０４によって読み取られた第２の情報との排他的論理和を求めることによって、第２の情報が解読される。
【００４４】
ここで、情報処理装置１０に対して、応動装置が設けられている。情報処理装置１０と応動装置とは、通信可能なようにケーブルを介して接続されている。応動装置は、解読された第２の情報に応じた情報処理装置１０からの出力信号によって所定の動作を行う。なお、応動装置に情報処理装置１０を組み込んで、一体化したものとしてもよい。あるいは、情報処理装置１０と応動装置とは通信可能であればよく、有線や無線による通信回線を介して両者を接続すればよい。
【００４５】
書込情報受付手段１０６は、情報担持体９０に書き込むべき書込情報を受け付けるものである。書込情報は、第２の情報の元となる情報である。具体的には、キーボード等の入力機器から入力されたデータによって、書込情報が作成される。あるいは、本情報処理装置に通信可能に接続された外部機器から元のデータを受信することによって、書込情報が作成される。
【００４６】
また、書込情報は、新規な情報に限らず、情報記憶部９２に既に記憶されている第２の情報に追記する情報、既に記憶されている情報と置き換える情報、あるいは既に記憶されている情報の一部または全部を消去する情報（指示）であってもよい。
【００４７】
第２情報作成手段１０７は、第１の情報を暗号キーとして書込情報を暗号化して書き込むべき第２の情報を作成するものである。この暗号化処理としては、種々の手法を採用することができるが、図５に示した解読手法に対応した暗号化処理ならば、図６に示すように、特定された第１の情報をキー値として擬似乱数列を発生させ、この擬似乱数列と書込情報との排他的論理和を求めることによって、暗号化された第２の情報が作成される。
【００４８】
次に、この情報処理装置１０における処理手順について説明する。まず、情報担持体９０が保有する情報を読み取るときの手順を図７に基づいて説明する。所定の位置に置かれた情報担持体９０に対して、情報処理装置１０を近づける。蛍光検出手段１０１によって、情報担持体９０の情報提示物質９１が放射する蛍光を検出する（Ｓ１１）。第１情報認定手段１０３によって、蛍光の検出情報に基づいて情報提示物質記憶手段１０２のテーブルを参照しながら第１の情報を認定する（Ｓ１２）。
【００４９】
一方、第２情報読取手段１０４によって、情報担持体９０の情報記憶部９２に記憶された第２の情報を読み取る（Ｓ１３）。なお、蛍光の検出から第１の情報の認定（Ｓ１１〜Ｓ１２）と第２の情報の読み取り（Ｓ１３）とは、いずれを先に行ってもよい。
【００５０】
解読処理手段１０５により、第１の情報を暗号キーとして読み取られた第２の情報を解読（複号化）する（Ｓ１４）。情報処理装置１０から第２の情報に応じた信号が応動装置に出力され、所定の応動動作が実行される（Ｓ１５）。
【００５１】
具体的な応動装置としては、解読された第２の情報を表示するディスプレイ、音声で報知するスピーカ等の出力装置や、建物の入場ゲ―卜を開閉する開閉装置等を挙げることができる。
【００５２】
また、情報処理装置１０において、情報担持体９０に記憶させる第２の情報を書き込む手順を図８に基づいて説明する。まず、上記の読み取りの場合と同様に、情報担持体９０の情報提示物質９１が放射する蛍光を検出し（Ｓ２１）、これに基づいて第１の情報を認定する（Ｓ２２）。
【００５３】
一方、書込情報受付手段１０６により、入力機器や外部機器からの書込情報が受け付けられる（Ｓ２３）。第２情報作成手段１０７によって、入力された書込情報を第１の情報を暗号キーとして暗号化し（Ｓ２４）、第２の情報を作成する。第２情報書込手段１０８によって、情報担持体９０の情報記憶部９２に第２の情報を書き込む（Ｓ２５）。なお、蛍光の検出から第１の情報の認定（Ｓ２１〜Ｓ２２）と書込情報の受付（Ｓ２３）とは、いずれを先に行ってもよい。
【００５４】
情報処理装置１０において、既に情報担持体９０に記憶されている第２の情報に応じた新たな情報を書き込む手順を図９に基づいて説明する。まず、上記の読み取りの場合と同様に、情報担持体９０の情報提示物質９１が放射する蛍光を検出し（Ｓ３１）、これに基づいて第１の情報を認定する（Ｓ３２）。また、第２の情報を読み取り（Ｓ３３）、これを解読する（Ｓ３４）。さらに、上記の書き込みの場合と同様に、書込情報を受け付ける（Ｓ３５）。
【００５５】
そして、第２情報作成手段１０７によって、解読された第２の情報を書込情報にしたがって加工し、新たな情報を作成する（Ｓ３６）。上記の書き込みの場合と同様に、この書き込むべき情報を暗号化して（Ｓ３７）、第２の情報を作成し、情報記憶部９２に第２の情報を書き込む（Ｓ３８）。
【００５６】
以上のような情報担持体９０を取り扱うことにより、第３者が情報担持体９０から蛍光を検出しても、その蛍光がどのような情報提示物質９１から得られるのかわからず、しかもその種類や量がわからないため、情報担持体９０が偽造されることを未然に防止することができる。また、情報担持体９０から放射される蛍光と第１の情報との関係も第３者には不明であり、さらにこの第１の情報を暗号キーとして暗号化や復号化の具体的手法も判明しない。そのため、第１の情報を第２の情報の読み取りおよび書き込みの暗号キーとすることにより、第２の情報を秘匿化して漏洩や改竄を防止することができる。
【００５７】
また、情報担持体９０自身に暗号キーを持たせているため、暗号キーを別管理する必要がなく、セキュリティ性が高まり、しかも取り扱いが容易となる。
【００５８】
（第２実施形態）
本実施形態では、図１０に示すように、情報処理装置２１が通信回線２３を通じて外部処理装置であるサーバ２２に接続されて、情報処理システムが構成される。サーバ２２は、通信回線２３としてのＬＡＮ、ＷＡＮ、インターネット網等のネットワーク回線により情報処理装置２１に接続される。そして、サーバ２２において、第２の情報に対する処理が行われる。なお、通信回線２３としては、有線や無線の電話回線でもよい。
【００５９】
情報処理装置２１は、蛍光検出手段２１１、第２情報読取手段２１２、送信手段２１３、受信手段２１４、書込情報受付手段２１５、第２情報書込手段２１６を備えている。ここで、情報処理装置２１の基本的な構成は、第１実施形態と同じであり、蛍光検出手段２１１、第２情報読取手段２１２、書込情報受付手段２１５、第２情報書込手段２１６は、第１実施形態のものと同じである。
【００６０】
サーバ２２は、蛍光の検出情報に基づいて第１の情報を認定する処理、第１の情報を暗号キーとして第２の情報を復号化（解読）あるいは暗号化する処理を行うコンピュータであり、情報提示物質記憶手段２２１、第１情報認定手段２２２、解読処理手段２２３、受信手段２２４、送信手段２２５、第２情報作成手段２２６を備えている。これらの情報提示物質記憶手段２２１、第１情報認定手段２２２、解読処理手段２２３、第２情報作成手段２２６は、第１実施形態のものと同じ構成である。
【００６１】
また、情報処理装置２１の送信手段２１３、受信手段２１４およびサーバ２２の受信手段２２４、送信手段２２５は、通信回線２３を通じてデータの送受信を行う通信装置によって構成される。
【００６２】
次に、この情報処理システムにおける処理手順について説明する。まず、情報担持体９０が保有する情報を読み取るときの手順を図１１に基づいて説明する。所定の位置に置かれた情報担持体９０に対して、情報処理装置２１を近づける。蛍光検出手段２１１によって、情報担持体９０の情報提示物質９１が放射する蛍光を検出する（Ｓ４１）。第２情報読取手段２１２によって、情報担持体９０の情報記憶部９２から第２の情報を読み取る（Ｓ４２）。なお、蛍光の検出（Ｓ４１）と第２の情報の読取（Ｓ４２）とは、いずれを先に行ってもよい。読み取られた蛍光の検出情報と第２の情報は、情報処理装置２１からサーバ２２に送信される（Ｓ４３）。
【００６３】
サーバ２２は、蛍光の検出情報と第２の情報を受信し（Ｓ４４）、情報提示物質記憶手段２２１のテーブルを参照して、受信した蛍光の検出情報から第１情報認定手段２２２により第１の情報を認定する（Ｓ４５）。
【００６４】
サーバ２２は、認定された第１の情報を暗号キーとして、受信した第２の情報を解読処理手段２２３により解読（復号化）する（Ｓ４６）。第２の情報を解読した結果は、サーバ２２から情報処理装置２１に送信される（Ｓ４７）。この第２の情報を解読処理した結果とは、サーバ２２において第２の情報を解読（復号化） した平文データ、あるいは、この第２の情報の内容から導かれる応動動作指令等であってもよい。
【００６５】
情報処理装置２１は、第２の情報の解読結果を受信し（Ｓ４８）、この解読結果に応じた信号を応動装置に出力する。そして、所定の応動動作が実行される（Ｓ４９）。このように受信した第２の情報を解読処理した結果は、第１実施形態と同様に、情報処理装置２１の目的に応じて所定の応動装置の動作に用いられる。
【００６６】
また、この情報処理システムにおいて、情報担持体９０に記憶させる第２の情報を書き込む手順を図１２に基づいて説明する。まず、情報処理装置２１の蛍光検出手段２１１によって情報担持体９０の情報提示物質９１が放射する蛍光を検出する（Ｓ５１）。そして、書込情報受付手段２１５により、入力機器や外部機器からの書込情報を受け付ける（Ｓ５２）。読み取られた蛍光の検出情報と受け付けられた書込情報は、情報処理装置２１からサーバ２２に送信される（Ｓ５３）。なお、蛍光の検出（Ｓ５１）と書込情報の受付（Ｓ５２）とは、いずれを先に行ってもよい。
【００６７】
サーバ２２では、蛍光の検出情報と書込情報を受信し（Ｓ５４）、情報提示物質記憶手段２２１のテーブルを参照して、蛍光の検出情報を第１情報認定手段２２２によって解釈し、第１の情報を認定する（Ｓ５５）。第２情報作成手段２２６により、認定された第１の情報を暗号キーとして、書込情報を暗号化して、第２の情報を作成する（Ｓ５６）。暗号化された第２の情報は、サーバ２２から情報処理装置２１に送信される（Ｓ５７）。
【００６８】
情報処理装置２１では、第２の情報を受信し（Ｓ５８）、第２情報書込手段２１６により、情報担持体９０の情報記憶部９２に第２の情報を書き込む（Ｓ５９）。
【００６９】
また、既に情報担持体９０に記憶されている第２の情報に応じた新たな情報を書き込む手順を図１３に示す。すなわち、情報処理装置２１において、蛍光検出手段２１１により情報担持体９０の情報提示物質９１が放射する蛍光を検出するとともに（Ｓ６１）、第２情報読取手段２１２により、情報担持体９０の情報記憶部９２に記憶された第２の情報を読み取る（Ｓ６２）。さらに、書込情報受付手段２１５により、書込情報を受け付ける（Ｓ６３）。蛍光の検出情報、第２の情報および書込情報は、情報処理装置２１からサーバ２２に送信される（Ｓ６４）。なお、蛍光の検出（Ｓ６１）、第２の情報の読取（Ｓ６２）および書込情報の受付（Ｓ６３）は、いずれを先に行ってもよい。
【００７０】
サーバ２２では、蛍光の検出情報、第２の情報および書込情報を受信し（Ｓ６５）、情報提示物質記憶手段２２１のテーブルを参照して、受信した蛍光の検出情報を第１情報認定手段２２２によって解釈し、第１の情報を認定する（Ｓ６６）。解読処理手段２２３により、認定された第１の情報を暗号キーとして、受信した第２の情報を解読する（Ｓ６７）。
【００７１】
そして、第２情報作成手段２２６により、解読された第２の情報を書込情報にしたがって加工して、新たに第２の情報として書き込むべき情報を作成する（Ｓ６８）。作成された新たな情報を第１の情報を暗号キーとして、暗号化する（Ｓ６９）。
【００７２】
このように暗号化された新たな第２の情報は、サーバ２２から情報処理装置２１に送信される（Ｓ７０）。情報処理装置２１では、これを受信し（Ｓ７１）、第２情報書込手段２１６により、情報担持体９０の情報記憶部９２に第２の情報を書き込む（Ｓ７２）。
【００７３】
なお、この情報読取システムにおいて、情報処理装置２１とサーバ２２との間での種々の情報の送受信は、両者において解読可能な別途の暗号化を施した状態で行うようにしてもよい。
【００７４】
このような情報処理システムでは、サーバ２２において、暗号キーとなる第１の情報と情報提示物質９１が放射する蛍光とを関連付ける情報や、第１の情報を暗号キーとした暗号解読手法を管理している。そのため、第２の情報を確実に秘匿化して、漏洩や改竄を防止することができる。また、蛍光の検出情報からの第１の情報の認定や第１の情報を暗号キーとした第２の情報の解読処理をサーバ２２側で行うため、情報処理装置２１の負担を軽減できる。したがって、情報処理装置２１の小型化を図れ、持ち運び可能となる。
【００７５】
（第３実施形態）
本実施形態の情報処理装置では、改竄不可能な第１の情報を情報担持体９０の真偽判定のための情報として扱い、これが真正なものである場合に限り、第２の情報を採用するようにしている。すなわち、第１の情報により情報担持体９０の真偽を判定する具体的な形態としては、クレジットカードや各種製品の品質保証タグ等であり、情報担持体９０自体の偽造を防止することが求められる種々の用途に適用できる。
【００７６】
情報処理装置３０は、図１４に示すように、蛍光検出手段３０１、情報提示物質記憶手段３０２、第１情報認定手段３０３、第１情報真偽判定手段３０４、第２情報読取手段３０５、第２情報採否手段３０６を備えている。情報処理装置３０の基本的な構成は、第１実施形態と同じであり、蛍光検出手段３０１、情報提示物質記憶手段３０２、第１情報認定手段３０３、第２情報読取手段３０５は、第１実施形態のものと同じである。
【００７７】
第１情報真偽判定手段３０４は、第１情報認定手段３０３により認定された第１の情報の真偽を判定するものである。この真偽判定は、例えば１または複数の真正と判定できる第１の情報をＲＯＭあるいは不揮発性メモリに記憶しておき、この基準となる情報と認定された第１の情報とが一致するか否かによって行う。すなわち、情報担持体９０に付与する情報提示物質９１が所定期間ごとに、例えば１月ごとに変更される場合、この第１情報真偽判定手段３０４において記憶される基準となる情報は、最近の所定期間、例えば最近２ヶ月間に付与された情報提示物質９１に対応するものとされる。認定された第１の情報が基準となる情報と一致すれば、この第１の情報は真正なものであると判定される。
【００７８】
なお、真正な情報担持体９０にしか情報提示物質９１が付与されておらず、しかも情報提示物質記憶手段３０２のテーブルに蛍光情報と第１の情報とが記憶され、第１情報認定手段３０３によって認定可能な第１の情報を有する情報担持体９０は、すべて真正であるような場合、情報提示物質記憶手段３０２と第１情報認定手段３０３とが、第１情報真偽判定手段３０４としての機能を果たすことになる。
【００７９】
第２情報採否手段３０６は、第１情報真偽判定手段３０４による判定結果に応じて、第２情報読取手段３０５によって読み取られる第２の情報の採否を決定するものである。すなわち、この第２情報採否手段３０６は、第１の情報が真正と判定されたならば、この情報担持体９０を真正品として扱い、第２の情報を採用する。一方、第１の情報が偽物（真正でない）であると判定されたならば、この情報担持体９０を偽物として扱い、第２の情報を採用しない。なお、第２の情報が採用される場合には、第１実施形態と同様、この情報処理装置３０の目的に応じて、第２の情報の内容が所定の応動装置の動作に用いられる。
【００８０】
次に、この情報処理装置３０における処理手順について説明する。まず、情報担持体９０に記憶されている第２の情報を読み取るときの手順を図１５に示す。情報処理装置３０の蛍光検出手段３０１により、情報担持体９０の情報提示物質９１が放射する蛍光を検出する（Ｓ８１）。第１情報認定手段３０３により、読み取られた蛍光の検出情報を情報提示物質記憶手段３０２のテーブルを参照して解釈し、第１の情報を認定する（Ｓ８２）。また、第２情報読取手段３０５により、情報担持体９０の情報記憶部９２に記憶されている第２の情報を読み取る（Ｓ８３）。
【００８１】
第１情報真偽判定手段３０４により、認定された第１の情報の真偽を判定する（Ｓ８４）。この判定の結果、第１の情報が真正なものであるとき（Ｓ８５）、この情報恒持体９０自体が真正であるとされ、読み取られた第２の情報が第２情報採否手段３０６により採用される（Ｓ８６）。そして、情報処理装置３０から第２の情報に応じた信号が応動装置に出力され、所定の応動動作が実行される（Ｓ８７）。一方、第１の情報が偽物であると判定されたとき（Ｓ８５）、読み取られた第２の情報を破棄し（Ｓ８８）、一連の処理を終了する。
【００８２】
なお、上記手順では、予め第２の情報を読み取っておき、第１の情報の真偽判定の結果に応じてこれの採否を決定したが、第１の情報が真正であると判定された場合に第２の情報を採用することを決定し、この決定に基づいて第２の情報を読み取るようにしてもよい。
【００８３】
このように、情報担持体９０の構成材料中に付与されることによって先天的な識別子となる情報提示物質９１に関連付けられた第１の情報の真偽を判定し、この第１の情報が真正である場合、情報担持体９０が真正なものであると認められる。このような場合にのみ第２の情報を採用するので、採用された第２の情報の信頼性を確保することができる。
【００８４】
（第４実施形態）
本実施形態では、図１６に示すように、情報処理装置４１と外部処理装置であるサーバ４２とを通信回線４３を介して接続した情報処理システムにおいて、上記の第３実施形態と同様、改竄不可能な第１の情報を情報担持体９０の真偽判定のための情報として扱い、これが真正なものである場合に限り、第２の情報を採用するものである。サーバ４２において、第１の情報の認定および真偽の判定を行う。情報処理装置４１およびサーバ４２の基本的な構成は、第２実施形態と同じである。
【００８５】
情報処理装置４１は、蛍光検出手段４１１、第２情報読取手段４１２、送信手段４１３、受信手段４１４、第２情報採否手段４１５を備えている。各手段は、上記の各実施形態のものと同じである。
【００８６】
サーバ４２は、情報提示物質記憶手段４２１、第１情報認定手段４２２、第１情報真偽判定手段４２３、受信手段４２４、送信手段４２５を備えている。各手段は、上記の各実施形態のものと同じである。
【００８７】
次に、この情報読取システムにおける処理手順について説明する。情報担持体９０に担持されている第２の情報を読み取る手順を図１７に示す。情報処理装置４１の蛍光検出手段４１１により、情報担持体９０の情報提示物質９１が放射する蛍光を検出する（Ｓ９１）。第２情報読取手段４１２により、情報担持体９０の情報記憶部９２に記憶された第２の情報を読み取る（Ｓ９２）。蛍光の検出情報が、情報処理装置４１からサーバ４２に送信される（Ｓ９３）。
【００８８】
サーバ４２では、蛍光の検出情報を受信し（Ｓ９４）、第１情報認定手段４２２により、情報提示物質記憶手段４２１のテーブルを参照して、蛍光の検出情報を解釈し、第１の情報を認定する（Ｓ９５）。第１情報真偽判定手段４２３により、認定された第１の情報の真偽を判定する（Ｓ９６）。その判定結果がサーバ４２から情報処理装置４１に送信される（Ｓ９７）。
【００８９】
情報処理装置４１では、この判定結果を受信し（Ｓ９８）、第１の情報が真正なものであるとき（Ｓ９９）、この情報担持体９０自体が真正であると判断する。第２情報採否手段４１５により、読み取られた第２の情報を採用する（Ｓ１００）。そして、情報処理装置４１から第２の情報に応じた信号が応動装置に出力され、所定の応動動作が実行される（Ｓ１０１）。一方、判定結果により第１の情報が偽物であるとき（Ｓ９９）、読み取られた第２の情報を破棄し（Ｓ１０２）、一連の処理を終了する。
【００９０】
なお、上記手順では、予め第２の情報を読み取っておき、第１の情報の真偽判定の結果に応じてこれの採否を決定したが、第１の情報が真正であると判定された場合に第２の情報を採用することを決定し、この決定に基づいて第２の情報を読み取るようにしてもよい。
【００９１】
このような情報処理システムでは、サーバ４２において、第１の情報と情報提示物質９１が放射する蛍光とを関連付ける情報や、第１の情報の真偽を判定するための情報を管理している。そのため、情報担持体９０の偽造を困難にし、情報担持体９０が真正なものであると認められることによって採用される第２の情報の信頼性を確保することができる。また、第１の情報の認定や真偽判定をサーバ４２側で行うため、情報処理装置４１の負担を軽減できる。したがって、情報処理装置４１の小型化を図れ、持ち運び可能となる。
【００９２】
（第５実施形態）
本実施形態の情報処理装置では、改竄不可能な第１の情報と第２の情報とを照合することにより、第２の情報の信頼性を確保するものである。このように第１の情報により第２の情報の信頼性を確保する具体的な形態としては、不正な改竄防止が求められるプリペイドカードや回数券等に好適に適用することができる。
【００９３】
情報処理装置５０は、情報担持体９０から第１の情報および第２の情報を読み取る読取処理、読み取った両情報の照合処理、書き込むべき情報の加工処理、およびその情報の書込処理等を行う。
【００９４】
すなわち、図１８に示すように、情報処理装置５０は、蛍光検出手段５０１、情報提示物質記憶手段５０２、第１情報認定手段５０３、第２情報読取手段５０４、第２情報真偽判定手段５０５、第２情報採否手段５０６、書込情報受付手段５０７、第２情報作成手段５０８、第２情報書込手段５０９を備えている。ここで、情報処理装置５０の基本的な構成は、第１実施形態と同じであり、蛍光検出手段５０１、情報提示物質記憶手段５０２、第１情報認定手段５０３、第２情報読取手段５０４、書込情報受付手段５０７、第２情報書込手段５０９は、第１実施形態と同じものである。
【００９５】
第２情報真偽判定手段５０５は、認定された第１の情報と読み取られた第２の情報とを照合して、第２の情報の真偽を判定するものである。具体的には、第２の情報中の所定の部分に、第１の情報に基づく電子透かし等が埋め込まれているか否かを検出し、この検出情報に応じて第２の情報の真偽を判定する。
【００９６】
第２情報採否手段５０６は、第２の情報の真偽の判定結果に応じて、読み取られた第２の情報の採否を決定するものである。すなわち、第２の情報が真正と判定されたとき、この第２の情報自体を真正として扱い、第２の情報を採用する。第２の情報が偽物（真正でない）であるとき、この第２の情報は改竄等がされた偽物として扱い、第２の情報を採用しない。
【００９７】
第２情報作成手段５０８は、第２情報真偽判定手段５０５により第２の情報が第１の情報と照合されたときに真正な情報と判定されるように、第１の情報に基づいて書込情報を加工して第２の情報を作成するものである。この第１の情報に基づく書込情報の加工処理として、具体的には、書込情報の所定の部分に、第１の情報に基づく電子透かし等を埋め込んで、これを第２の情報とする。
【００９８】
次に、この情報処理装置５０における処理手順について説明する。情報担持体９０に記憶されている第２の情報を読み取る手順を図１９に示す。蛍光検出手段５０１により、情報担持体９０の情報提示物質９１が放射する蛍光を検出する（Ｓ１１１）。第１情報認定手段５０３により、情報提示物質記憶手段５０２のテーブルを参照して、読み取られた蛍光の検出情報を解釈し、第１の情報を認定する（Ｓ１１２）。一方、第２情報読取手段５０４により、情報担持体９０の情報記憶部９２に記憶されている第２の情報を読み取る（Ｓ１１３）。なお、蛍光の検出から第１の情報の認定までの手順（Ｓ１１１〜Ｓ１１２）と第２の情報の読み取り処理（Ｓ１１３）とは、いずれを先に行ってもよい。
【００９９】
第２情報真偽判定手段５０５により、読み取られた第２の情報を第１の情報と照合し（Ｓ１１４）、第２の情報の真偽を判定する（Ｓ１１５）。この判定の結果、第２の情報が真正なものであるとき、第２情報採否手段５０６により、この第２の情報が正式に採用される（Ｓ１１６）。そして、情報処理装置５０から第２の情報に応じた信号が応動装置に出力され、所定の応動動作が実行される（Ｓ１１７）。一方、第２の情報が偽物であると判定される、すなわち不正な改竄等が行われているとき、読み取られた第２の情報を破棄して（Ｓ１１８）、一連の処理を終了する。
【０１００】
また、情報担持体９０に記憶させる第２の情報を書き込む手順を図２０に示す。まず、読み取りの場合と同様にして情報担持体９０の情報提示物質９１が放射する蛍光を検出し（Ｓ１２１）、これに基づいて第１の情報を認定する（Ｓ１２２）。一方、書込情報受付手段５０７により、入力機器や外部機器からの書込情報を受け付ける（Ｓ１２３）。なお、蛍光の検出から第１の情報の認定（Ｓ１２１〜Ｓ１２２）と、書込情報の受付（Ｓ１２３）とは、いずれを先に行ってもよい。
【０１０１】
第２情報作成手段５０８により、書込情報を第１の情報に基づいて加工して、第２の情報を作成する（Ｓ１２４）。第２情報書込手段５０９により、情報担持体９０の情報記憶部９２に第２の情報を書き込む（Ｓ１２５）。
【０１０２】
さらに、既に情報担持体９０に記憶されている第２の情報に新たな情報を書き込む手順を図２１に示す。上記と同様にして、情報担持体９０の情報提示物質９１が放射する蛍光を検出し（Ｓ１３１）、これに基づいて第１の情報を認定する（Ｓ１３２）。また、第２の情報を読み取り（Ｓ１３３）、書込情報を受け付ける（Ｓ１３４）。
【０１０３】
第２情報真偽判定手段５０５により、読み取られた第２の情報と第１の情報とを照合して、第２の情報の真偽を判定する（Ｓ１３５）。この判定の結果、第２の情報が真正なものであるとき（Ｓ１３６）、第２情報採否手段５０６によって、この第２の情報を正式に採用する（Ｓ１３７）。そして、第２情報作成手段５０８により、採用された第２の情報を書込情報にしたがって加工して新たに第２の情報として書き込むべき情報を作成し（Ｓ１３８）、第２の情報が第１の情報と照合されたとき真正な情報と判定されるように、この新たな情報を第１の情報に基づいて加工して、第２の情報を作成する（Ｓ１３９）。第２情報書込手段５０９により、情報記憶部９２に第２の情報として書き込む（Ｓ１４０）。
【０１０４】
一方、第２の情報が偽物であると判定されたとき（Ｓ１３６）、不正な改竄等が行われているので、読み取られた第２の情報を破棄して（Ｓ１４１）、一連の処理を終了する。
【０１０５】
このように、変更可能な第２の情報を第１の情報と照合することにより、第２の情報の不正な改竄を識別できる。そのため、真正な第２の情報だけを採用することができ、第２の情報の信頼性を確保することができる。
【０１０６】
（第６実施形態）
本実施形態では、図２２に示すように、情報処理装置６１と外部処理装置であるサーバ６２とを通信回線６３を介して接続した情報処理システムにおいて、上記の第５実施形態と同様、改竄不可能な第１の情報と第２の情報とを照合することにより、第２の情報を採用するものである。サーバ６２において、第１の情報の認定および照合を行う。情報処理装置６１およびサーバ６２の基本的な構成は、第２実施形態と同じである。
【０１０７】
情報処理装置６１は、蛍光検出手段６１１、第２情報読取手段６１２、送信手段６１３、受信手段６１４、第２情報採否手段６１５、書込情報受付手段６１６、第２情報書込手段６１７を備えている。各手段は、上記の各実施形態と同じものである。
【０１０８】
サーバ６２は、情報提示物質記憶手段６２１、第１情報認定手段６２２、第２情報真偽判定手段６２３、受信手段６２４、第２情報作成手段６２６を備えている。各手段は、上記の各実施形態のものと同じである。
【０１０９】
次に、この情報処理システムにおける各処理手順について説明する。まず、情報担持体９０に記憶されている第２の情報の読み取りを行う手順を図２３に示す。情報処理装置６１の蛍光検出手段６１１により、情報担持体９０の情報提示物質９１が放射する蛍光を検出し（Ｓ１５１）、第２情報読取手段６１２により、情報担持体９０の情報記憶部９２に記憶された第２の情報を読み取る（Ｓ１５２）。なお、蛍光の検出（Ｓ１５１）と第２の情報の読取（Ｓ１５２）とは、いずれを先に行ってもよい。読み取られた蛍光の検出情報と第２の情報は、情報処理装置６１からサーバ６２に送信される（Ｓ１５３）。
【０１１０】
サーバ６２では、蛍光の検出情報と第２の情報を受信し（Ｓ１５４）、第１情報認定手段６２２により、情報提示物質記憶手段６２１のテーブルを参照して、蛍光の検出情報を解釈し、第１の情報を認定する（Ｓ１５５）。
【０１１１】
そして、第２情報真偽判定手段６２３により、認定された第１の情報と第２の情報とを照合し、第２の情報の真偽を判定する（Ｓ１５６）。この判定結果がサーバ６２から情報処理装置６１に送信される（Ｓ１５７）。
【０１１２】
情報処理装置６１では、この判定結果を受信し（Ｓ１５８）、第２の情報が真正なものであるとき（Ｓ１５９）、第２情報採否手段６１５により、第２の情報が採用される（Ｓ１６０）。そして、情報処理装置６１から第２の情報に応じた信号が応動装置に出力され、所定の応動動作が実行される（Ｓ１６１）。一方、第２の情報が偽物であると判定されたとき（Ｓ１５９）、第２の情報が不正に改竄等されたものであるので、読み取られた第２の情報を破棄し（Ｓ１６２）、一連の処理を終了する。
【０１１３】
また、情報担持体９０に記憶させる第２の情報を書き込む手順を図２４に示す。情報処理装置６１の蛍光検出手段６１１により、情報担持体９０の情報提示物質９１が放射する蛍光を検出する（Ｓ１７１）。書込情報受付手段６１６により、書込情報を受け付ける（Ｓ１７２）。なお、蛍光の検出（Ｓ１７１）と書込情報の受付（Ｓ１７２）とは、いずれを先に行ってもよい。蛍光の検出情報と書込情報は、情報処理装置６１からサーバ６２に送信される（Ｓ１７３）。
【０１１４】
サーバ６２では、蛍光の検出情報と書込情報を受信し（Ｓ１７４）、第１情報認定手段６２２により、情報提示物質記憶手段６２１のテーブルを参照して、蛍光の検出情報を解釈し、第１の情報を認定する（Ｓ１７５）。第２情報作成手段６２６により、第２の情報が第１の情報と照合されたとき真正な情報と判定されるように、書込情報を第１の情報に基づいて加工して、第２の情報を作成する（Ｓ１７６）。作成された第２の情報は、サーバ６２から情報処理装置６１に送信される（Ｓ１７７）。情報処理装置６１では、これを受信し（Ｓ１７８）、第２情報書込手段６１７により、情部担持体９０の情報記憶部９２に第２の情報を書き込む（Ｓ１７９）。
【０１１５】
さらに、既に情報担持体９０に記憶されている第２の情報に応じた新たな情報を書き込む手順を図２５に示す。情報処理装置６１において、蛍光検出手段６１１により情報担持体９０の情報提示物質９１が放射する蛍光を検出し（Ｓ１８１）、第２情報読取手段６１２により情報担持体９０の情報記憶部９２に記憶された第２の情報を読み取る（Ｓ１８２）。また、書込情報受付手段６１６により、書込情報を受け付ける（Ｓ１８３）。なお、蛍光の検出（Ｓ１８１）、第２の情報の読取（Ｓ１８２）および書込情報の受付（Ｓ１８３）は、いずれを先に行ってもよい。そして、蛍光の検出情報と第２の情報、さらに書込情報は、情報処理装置６１からサーバ６２に送信される（Ｓ１８４）。
【０１１６】
サーバ６２では、蛍光の検出情報、第２の情報および書込情報を受信し（Ｓ１８５）、第１情報認定手段６２２により、情報提示物質記憶手段６２１のテーブルを参照して、蛍光の検出情報を解釈し、第１の情報を認定する（Ｓ１８６）。そして、第２情報真偽判定手段６２３により、第２の情報と認定された第１の情報とを照合することによって第２の情報の真偽を判定する（Ｓ１８７）。
【０１１７】
この判定の結果、第２の情報が真正なものであるとき（Ｓ１８８）、第２情報作成手段６２６により、受信した書込情報にしたがって、この第２の情報を加工して新たに第２の情報として書き込むべき情報を作成するとともに（Ｓ１８９）、第２の情報が第１の情報と照合されたとき真正な情報と判定されるように、この新たな情報を第１の情報に基づいて加工して、第２の情報を作成する（Ｓ１９０）。作成された新たに書き込むべき第２の情報は、サーバ６２から情報処理装置６１に送信される（Ｓ１９１）。
【０１１８】
情報処理装置６１では、これを受信し（Ｓ１９２）、第２情報書込手段６１７により、この新たな第２の情報を報記憶部９２に書き込む（Ｓ１９３）。
【０１１９】
一方、既に情報担持体９０の情報記憶部９２に記憶されていた第２の情報が偽物であると判定されたとき（Ｓ１８８）、不正な改竄等が行われていることになり、サーバ６２から情報処理装置６１にその旨が送信される（Ｓ１９４）。情報処理装置６１が、これを受信すると（Ｓ１９５）、読み取られた第２の情報を破棄して（Ｓ１９６）、一連の処理を終了する。
【０１２０】
このような情報読取システムでは、第１の情報と情報提示物質９１が放射する蛍光とを関連付ける情報や第１の情報と第２の情報との照合手法、さらに第１の情報に基づいた書込情報の加工手法をサーバ６２側で管理するため、第２の情報の改竄を一層確実に防止することができる。また、第１の情報の認定や第１の情報と第２の情報との照合処理、さらに書込情報の加工処理をサーバ６２側で行うため、情報処理装置６１の負担を軽減でき、情報処理装置６１の小型化を図れ、携帯性を高めることができる。
【０１２１】
（第７実施形態）
本実施形態では、図２６に示すように、情報処理装置７１と外部処理装置であるサーバ７２とを通信回線７３を介して接続した情報処理システムにおいて、情報担持体９０の第１の情報を第２の情報を解読するための暗号キーとして扱うとともに、解読された第２の情報をサーバ７２に記憶されている第３の情報を操作するためのキーとするものである。これにより、サーバ７２上の情報を情報処理装置７１で遠隔操作することができる。したがって、情報処理システムは遠隔操作システムとして機能し、情報処理装置７１は遠隔操作端末となる。このようなシステムを利用すれば、携行する情報担持体９０上には記憶できない大容量の情報をサーバ７２上に記憶しておき、この情報を第３者による不正な閲覧や改竄から保護することが求められる種々の用途に適用することができる。
【０１２２】
情報処理装置７１およびサーバ７２の基本的な構成は、第２実施形態と同じである。情報処理装置７１は、蛍光の検出情報から第１の情報を認定する処理、第２の情報を読み取る処理、第２の情報を解読する処理を行う。すなわち、情報処理装置７１は、蛍光検出手段７１１、情報提示物質記憶手段７１２、第１情報認定手段７１３、第２情報読取手段７１４、解読処理手段７１５、送信手段７１６、受信手段７１７、サーバ操作入出力手段７１８を備えている。ここで、蛍光検出手段７１１、情報提示物質記憶手段７１２、第１情報認定手段７１３、第２情報読取手段７１４、解読処理手段７１５、送信手段７１６、受信手段７１７は、上記の各実施形態のものと同じである。
【０１２３】
サーバ操作入出力手段７１８は、サーバ７２からこの情報処理装置７１に第３の情報の操作が許可された後、オペレータ等からサーバ７２側に発せられる操作指示の入力を受け付け、またこの操作指示に対するサーバ７２からの応答に応じた動作等を行うものである。例えば、サーバ７２からの応答結果をディスプレイに出力表示する。
【０１２４】
サーバ７２は、第３情報記憶手段７２１、受信手段７２２、操作許可手段７２３、第３情報処理手段７２４、送信手段７２５を備えている。
【０１２５】
第３情報記憶手段７２１は、第２の情報に関連付けられる第３の情報を記憶するものである。第３情報記憶手段７２１としては、例えば大きな記憶容量を有するデータベースサーバあるいはハードディスクドライブといった記憶装置によって構成される。そして、この第３情報記憶手段７２１は、この情報処理システムが複数の利用者（情報処理装置７１のオペレータ）にサ一ビスを提供している場合、各利用者の所有する情報担持体９０に記憶されているそれぞれ異なる第２の情報ごとに、異なる第３の情報を記憶するようになっている。
【０１２６】
操作許可手段７２３は、第３情報記憶手段７２１に対する操作を許可するか決めるものである。この操作許可の判断は、例えば予め正規の利用者の識別情報として第２の情報を登録しておき、登録された第２の情報と情報処理装置７１から受信した第２の情報とを比較照合することによって行う。適合した第２の情報であれば、この第２の情報に関連付けられた第３の情報を特定して、その操作を許可する。
【０１２７】
第３情報処理手段７２４は、第３の情報に対する操作が許可された情報処理装置７１からの操作指示にしたがって、第３の情報に対し各種の情報処理を行うものである。この操作指示は、第３情報記憶手段７２１が有する第３の情報に対して、閲覧、記録、追記、消去、変更等の少なくともいずれか１つを実行することである。なお、受信手段７２２および送信手段７２５は、上記の各実施形態のものと同じである。
【０１２８】
次に、この情報処理システムにおける情報担持体９０に記憶されている第２の情報を読み取り、サーバ７２上の第３の情報を操作する手順を図２７に基づいて説明する。情報処理装置７１において、蛍光検出手段７１１により情報担持体９０の情報提示物質９１が放射する蛍光を検出する（Ｓ２０１）。第１情報認定手段７１３により、情報提示物質記憶手段７１２のテーブルを参照しながら蛍光の検出情報を解釈し、第１の情報を認定する（Ｓ２０２）。第２情報読取手段７１４により、情報担持体９０の情報記憶部９２に記憶された第２の情報を読み取る（Ｓ２０３）。なお、蛍光の検出から第１の情報の認定までの手順（Ｓ２０１〜Ｓ２０２）と、第２の情報の読み取り（Ｓ２０３）とは、いずれを先に行ってもよい。
【０１２９】
そして、解読処理手段７１５により、読み取られた第２の情報が第１の情報を暗号キーとして解読され（Ｓ２０４）、解読された第２の情報がサーバ７２に送信される（Ｓ２０５）。
【０１３０】
サーバ７２では、第２の情報を受信して（Ｓ２０６）、操作許可手段７２３により、受信した第２の情報が第３情報記憶手段７２１に記憶された第３の情報に関連付けられた正規の第２の情報であるかを判定する（Ｓ２０７）。正規の第２の情報でないとき（Ｓ２０８）、第３の情報に対する操作を許可せず、一連の処理を終了する。正規の第２の情報であるとき（Ｓ２０８）、この第２の情報に関連付けられた第３の情報に対する操作を許可する。具体的には、操作許可を与える旨を情報処理装置７１に通知する（Ｓ２０９）。
【０１３１】
情報処理装置７１では、サーバ７２から操作許可の通知を受信する（Ｓ２１０）と、入力機器を通じてオペレータ等からサーバ７２上の第３の情報に対する各種の操作指示が入カされる（Ｓ２１１）。情報処理装置７１は、この操作指示をサーバ７２に送信する（Ｓ２１２）。
【０１３２】
サーバ７２では、操作指示を受信する（Ｓ２１３）と、第３情報処理手段７２４により、この操作指示に応じた第３の情報に対する各種情報処理を行う（Ｓ２１４）。その結果は必要に応じて情報処理装置７１に送信される（Ｓ２１５）。これを受信（Ｓ２１６）した情報処理装置７１では、その結果に応じた動作を行う（Ｓ２１７）。例えば、オペレータから第３の情報を閲覧することが指示された場合、サーバ７２は、この第３の情報を読み出し、情報処理装置７１に送信する。第３の情報が、情報処理装置７１のディスプレイに表示される。
【０１３３】
このように、情報提示物質９１に関連付けられた第１の情報が第２の情報を読み取る暗号キーとされ、第１の情報に基づいて解読された第２の情報がサーバ７２に記憶された第３の情報を操作するためのキーとなる。そのため、第３の情報の漏洩や改竄を防止することができ、情報の信頼性を確保できる。また、第３の情報はサーバ７２上に記憶されるため、情報担持体９０に比して大容量の情報を扱うことができ、情報担持体９０の用途を拡張できる。
【０１３４】
（第８実施形態）
本実施形態では、図２８に示すように、情報処理システムにおいて、情報担持体９０の第２の情報を第１の情報と照合することにより第２の情報の信頼性を確保するとともに、信頼できる第２の情報をサーバ８２に記憶されている第３の情報を操作するためのキーとするものである。これによって、携行する情報担持体９０上には記憶できない大容量の情報をサーバ８２上に記憶させるが、この情報を第３者による不正な閲覧や改竄から保護することが求められる種々の用途に好適に適用することができる。
【０１３５】
情報処理装置８１は、蛍光検出手段８１１、情報提示物質記憶手段８１２、第１情報認定手段８１３、第２情報読取手段８１４、第２情報真偽判定手段８１５、送信手段８１６、受信手段８１７、サーバ操作入出力手段８１８を備えている。サーバ８２は、第３情報記憶手段８２１、受信手段８２２、操作許可手段８２３、第３情報処理手段８２４、送信手段８２５を備えている。ここで、第２情報真偽判定手段８１５を除く各手段は、第７実施形態のものと同じである。第２情報真偽判定手段８１５は、認定された第１の情報と読み取られた第２の情報とを照合して、第２の情報の真偽を判定するものであり、第５実施形態のものと同じである。
【０１３６】
次に、この情報処理システムにおける情報担持体９０に記憶されている第２の情報を読み取り、サーバ８２上の第３の情報を操作する手順を図２９に基づいて説明する。まず、情報処理装置８１において、蛍光検出手段８１１により、情報担持体９０の情報提示物質９１が放射する蛍光を検出する（Ｓ２２１）。第１情報認定手段８１３により、情報提示物質記憶手段８１２のテーブルを参照しながら蛍光の検出情報を解釈し、第１の情報を認定する（Ｓ２２２）。第２情報読取手段８１４により、情報担持体９０の情報記憶部９２に記憶された第２の情報を読み取る（Ｓ２２３）。なお、蛍光の検出から第１の情報の認定までの手順（Ｓ２２１〜Ｓ２２２）と、第２の情報の読み取り（Ｓ２２３）とは、いずれを先に行ってもよい。
【０１３７】
第２情報真偽判定手段８１５により、読み取られた第２の情報を第１の情報と照合して、その真偽を判定する（Ｓ２２４）。第２の情報が真正なものであると判定されたとき（Ｓ２２５）、この第２の情報をサーバ８２に送信する（Ｓ２２６）。一方、第２の情報が偽物であると判定されたとき（Ｓ２２５）、第２の情報は不正な改竄等が行われたものであるので、一連の処理を終了する。
【０１３８】
サーバ８２では、真正な第２の情報を受信する（Ｓ２２７）と、操作許可手段８２３により、受信した第２の情報が第３情報記憶手段８２１に記憶された第３の情報に関連付けられた正規の第２の情報であるかを判定する（Ｓ２２８）。正規の第２の情報でないとき（Ｓ２２９）、第３の情報に対する操作を許可せず、一連の処理を終了する。正規の第２の情報であるとき（Ｓ２２９）、この第２の情報に関連付けられた第３の情報に対する操作を許可する。具体的には、操作許可を与える旨を情報処理装置８１に通知する（Ｓ２３０）。
【０１３９】
情報処理装置８１では、サーバ８２から操作許可の通知を受信する（Ｓ２３１）と、入力機器を通じてオペレータ等からサーバ８２上の第３の情報に対する各種の操作指示が入カされる（Ｓ２３２）。情報処理装置８１は、この操作指示をサーバ８２に送信する（Ｓ２３３）。
【０１４０】
サーバ８２では、操作指示を受信する（Ｓ２３４）と、第３情報処理手段８２４により、この操作指示に応じた第３の情報に対する各種情報処理を行う（Ｓ２３５）。その結果は必要に応じて情報処理装置８１に送信される（Ｓ２３６）。これを受信（Ｓ２３７）した情報処理装置８１では、その結果に応じた動作を行う（Ｓ２３８）。例えば、オペレータから第３の情報を閲覧することが指示された場合、サーバ８２は、この第３の情報を読み出し、情報処理装置８１に送信する。第３の情報が、情報処理装置８１のディスプレイに表示される。
【０１４１】
これによっても、上記の第７実施形態と同様に、真正と判定された第２の情報に基づいて第３の情報を操作できるので、第３の情報の漏洩や改竄を防止することができ、情報の信頼性を確保できる。
【０１４２】
なお、本発明は、上記実施形態に限定されるものではなく、本発明の範囲内で上記実施形態に多くの修正および変更を加え得ることは勿論である。情報処理システムにおける外部処理装置は、サーバに限らず、パソコン、ＰＤＡ（情報携帯端末）、携帯電話といった通信機能を有するものであってもよい。
【０１４３】
第１〜第８の各実施形態において、情報処理装置によって情報担持体から第１、第２の情報を読み取る。このとき、例えばアンテナの指向性の影響等により、情報担持体の情報記憶部と情報処理装置との相対的な位置関係によっては、第２の情報の読取精度が悪くなることがある。特に非接触で読み取る場合には、これが顕著となる。なお、情報提示物質は情報担持体全面に付与されているので、あらゆる方向から情報提示物質の検出が可能である。
【０１４４】
そこで、情報担持体の製造時に情報記憶部の位置が決定されるので、この情報記憶部の位置情報を第１の情報に含めておく。例えば、第１、第３、第５実施形態における情報処理装置は、蛍光の検出情報に基づいて特定された第１の情報から位置情報を取得する位置情報取得手段と、得られた位置情報に基づいて情報担持体との相対的な位置を決める位置決め手段とを備える。
【０１４５】
図３０に示すように、固定された情報処理装置１に対して、情報担持体９０を移動させる移動機構２が設けられる。移動機構２は、保持した情報担持体９０をモータ、シリンダ等によって垂直方向および水平方向に移動させる。さらに垂直軸、水平軸周りに回転させる。そして、情報処理装置１の位置決め手段は、決められた読取位置に情報担持体９０を移動させるために移動機構２に対して駆動信号を出力する。
【０１４６】
この位置決めの動作を説明する。まず、情報処理装置１は、所定の位置に置かれた情報担持体９０から蛍光を検出し、この検出情報から第１の情報を特定する。そして、第１の情報から位置情報を抽出して、得られた位置情報から読取位置を決定する。情報処理装置１からの駆動信号により、移動機構２が作動して、情報担持体９０を読取位置まで移動させる。情報処理装置１は、読取位置にある情報担持体９０の情報記憶部９２から第２の情報を読み取る。これによって、情報担持体９０がどのような状態にあっても、読み取り可能な状態にすることができ、第２の情報を確実に読み取ることができる。
【０１４７】
ここで、読取位置は、情報処理装置１の第２情報読取手段による読み取り可能な位置に対応して情報記憶部９２が位置するときの情報担持体９０の位置である。そして、現在の情報処理装置１と情報担持体９０との相対的な位置関係および情報記憶部９２の位置情報に基づいて、読取位置が決定される。
【０１４８】
情報処理装置１が固定されている場合、読取位置は一定位置となる。そして、移動機構から現在の情報担持体９０の位置が情報処理装置１に入力されることにより、読取位置が決定される。情報担持体９０は、読取位置に向かって移動され、第２情報読取手段に対向して情報記憶部９２が位置することになる。
【０１４９】
上記では、情報処理装置１が固定され、情報担持体９０が移動可能とされたが、図３１に示すように、情報担持体９０が固定され、情報処理装置１が移動可能であってもよい。情報処理装置１を保持して、移動させるための移動機構３が設けられ、移動機構３は、情報処理装置１を垂直方向および水平方向に移動させ、さらに垂直軸、水平軸周りに回転させる。この場合でも、上記と同様に、情報処理装置１から移動機構３に駆動信号が出力され、決められた読取位置に情報処理装置１が移動する。
【０１５０】
また、第２、第４、第６、第７、第８実施形態における情報処理システムにおいては、図３２、３３に示すように、サーバ等の外部処理装置４が位置決め手段を備える。情報処理装置１は、蛍光の検出情報に基づいて特定された第１の情報から位置情報を取得する位置情報取得手段を備え、この位置情報を外部処理装置４に送信する。あるいは、外部処理装置４が、位置情報取得手段と位置決め手段とを備える。情報処理装置１は、蛍光の検出情報を外部処理装置４に送信し、外部処理装置４は、検出情報に基づいて第１の情報を特定し、これから位置情報を取得する。
【０１５１】
外部処理装置４は、上記と同様に、位置情報から読取位置を決定する。そして、外部処理装置４からの駆動信号により、情報担持体９０を移動させるための移動機構２、あるいは情報処理装置１を移動させるための移動機構３が作動する。
【０１５２】
ところで、情報処理装置１と情報担持体９０との相対的な位置関係がわかっている場合には、上記のように読取位置を決定できるが、両者の位置関係が不明な場合には、情報担持体９０の位置を特定しなければならない。そのため、情報処理装置１は、蛍光の検出情報から情報担持体９０の位置を特定する位置特定手段を備える。
【０１５３】
位置特定手段は、情報処理装置１あるいは情報担持体９０を移動させながら、蛍光を検出可能か否かをサーチし、その検出情報に基づいて検出可能な領域を判別する。この検出可能な領域が情報担持体９０の存在する位置となることより、情報担持体９０の位置を認識でき、情報処理装置１あるいは情報担持体９０の移動軌跡からその位置を特定する。なお、外部処理装置４が、位置特定手段を備えてもよく、情報処理装置１から蛍光の検出情報を受信して、情報担持体９０の位置を特定する。このように、情報担持体９０の位置を特定できれば、読取位置を決定できる。
【図面の簡単な説明】
【０１５４】
【図１】本発明の情報担持体の斜視図
【図２】第１実施形態の情報処理装置の構成図
【図３】蛍光検出手段の構成図
【図４】蛍光のスペクトル波形の一例を示す図
【図５】解読処理の手法の説明図
【図６】暗号化処理の手法の説明図
【図７】第１実施形態の情報読取手順のフローチャート
【図８】第１実施形態の情報書込手順のフローチャート
【図９】第１実施形態の情報追記手順のフローチャート
【図１０】第２実施形態の情報処理システムの構成図
【図１１】第２実施形態の情報読取手順のフローチャート
【図１２】第２実施形態の情報書込手順のフローチャート
【図１３】第２実施形態の情報追記手順のフローチャート
【図１４】第３実施形態の情報処理装置の構成図
【図１５】第３実施影態の情報読取手順のフローチャート
【図１６】第４実施形態の情報処理システムの構成図
【図１７】第４実施形態の情報読取手順のフローチャート
【図１８】第５実施形態の情報処理装置の構成図
【図１９】第５実施形態の情報読取手順のフローチャート
【図２０】第５実施形態の情報書込手順のフローチャート
【図２１】第５実施形態の情報追記手順のフローチャート
【図２２】第６実施形態の情報処理システムの構成図
【図２３】第６実施形態の情報読取手順のフローチャート
【図２４】第６実施形態の情報書込手順のフローチャー卜
【図２５】第６実施形態の情報追記手順のフローチャート
【図２６】第７実施形態の情報処理システムの構成図
【図２７】第７実施形態の情報読取手順のフローチャート
【図２８】第８実施形態の情報処理システムの構成図
【図２９】第８実施形態の情報読取手順のフローチャート
【図３０】情報処理装置と情報担持体とを位置決めする機構を示す図
【図３１】情報処理装置と情報担持体とを位置決めする機構の他の形態を示す図
【図３２】情報処理システムにおける情報処理装置と情報担持体とを位置決めする機構を示す図
【図３３】情報処理システムにおける情報処理装置と情報担持体とを位置決めする機構の他の形態を示す図
【符号の説明】
【０１５５】
１０    情報処理装置
９０    情報坦持体
９１    情報提示物質
９２    情報記憶部
１０１    蛍光検出手段
１０２    情報提示物質記憶手段
１０３    第１情報認定手段
１０４    第２情報読取手段
１０５    解読処理手段
１０６    書込情報受付手段
１０７    第２情報作成手段
１０８    第２情報書込手段
【図１】
2005084864.tif 000003
【図２】
2005084864.tif 000004
【図３】
2005084864.tif 000005
【図４】
2005084864.tif 000006
【図５】
2005084864.tif 000007
【図６】
2005084864.tif 000008
【図７】
2005084864.tif 000009
【図８】
2005084864.tif 000010
【図９】
2005084864.tif 000011
【図１０】
2005084864.tif 000012
【図１１】
2005084864.tif 000013
【図１２】
2005084864.tif 000014
【図１３】
2005084864.tif 000015
【図１４】
2005084864.tif 000016
【図１５】
2005084864.tif 000017
【図１６】
2005084864.tif 000018
【図１７】
2005084864.tif 000019
【図１８】
2005084864.tif 000020
【図１９】
2005084864.tif 000021
【図２０】
2005084864.tif 000022
【図２１】
2005084864.tif 000023
【図２２】
2005084864.tif 000024
【図２３】
2005084864.tif 000025
【図２４】
2005084864.tif 000026
【図２５】
2005084864.tif 000027
【図２６】
2005084864.tif 000028
【図２７】
2005084864.tif 000029
【図２８】
2005084864.tif 000030
【図２９】
2005084864.tif 000031
【図３０】
2005084864.tif 000032
【図３１】
2005084864.tif 000033
【図３２】
2005084864.tif 000034
【図３３】
2005084864.tif 000035